(57)【特許請求の範囲】
【請求項１】
機器ケース内に、外部音を取込むための音孔を有し、内部にマイクロフォン素子を収容したマイク部品を配置した電子機器において、
前記機器ケースに、前記マイク部品の音孔の孔径よりも大きい径のマイク孔を設け、
前記機器ケース内に、一方の面の所定箇所に前記マイク部品をその音孔形成面とは反対面をボンディングして搭載した回路基板を、前記マイク部品の音孔を前記機器ケースのマイク孔に対向させて配置するとともに、
前記マイク部品に、そのマイク部品の音孔形成面に当接するとともにマイク部品の音孔に対応する部分に前記音孔の孔径以上の径を有する貫通孔が設けられた頂面部と、該頂面部を前記マイク部品の音孔形成面に当接させたときに下端面が前記回路基板の表面に密着する高さを有し前記マイク部品の周囲を囲む周面部とを有し、前記頂面部の外面に、その周縁に沿う第１の環状凸部と前記貫通孔貫通孔を囲む第２の環状凸部とが設けられた気密性弾性材からなるキャップ状の防音部材を被せ、
前記回路基板を、前記第１の環状凸部が前記機器ケースのマイク孔形成面に圧接され、且つ前記第２の環状凸部が前記機器ケースのマイク孔形成面に圧接或いはマイク孔に密に嵌込まれた状態が維持できるように、前記防音部材の頂面部を前記機器ケースのマイク孔形成面に押付けて前記機器ケース内に固定したこと
を特徴とするマイク付き電子機器。
【請求項２】
防音部材の周面部は、前記マイク部品の外周面に略密に嵌合する内幅を有することを特徴とする請求項１に記載のマイク付き電子機器。
【請求項３】
防音部材の貫通孔の孔径を、機器ケースのマイク孔の孔径よりも小さくしたことを特徴とする請求項１に記載のマイク付き電子機器。
【請求項４】
機器ケースのマイク孔形成面と防音部材の頂面部との間または前記防音部材の頂面部とマイク部品の音孔形成面との間に、機器ケースのマイク孔または前記防音部材の貫通孔を覆って、前記マイク部品のマイクロフォン素子の周波数特性により強調される音域の音成分を減衰させる音域フィルタを設けたことを特徴とする請求項１に記載のマイク付き電子機器。
【請求項５】
音域フィルタを機器ケースのマイク孔形成面に貼付けたことを特徴とする請求項４に記載のマイク付き電子機器。
【請求項６】
前記第１の環状凸部と前記第２の環状凸部とを、同じ突出高さに形成したことを特徴とする請求項１〜５のいずれかに記載のマイク付き電子機器。
【請求項７】
前記第２の環状凸部の突出高さを、前記第１の環状凸部の突出高さをよりも高く形成し、前記第２の環状凸部を前記機器ケースのマイク孔に嵌込むことを特徴とする請求項１〜４のいずれかに記載のマイク付き電子機器。
【請求項８】
前記第２の環状凸部は、その先端側が機器ケース外に突出し、且つ前記機器ケース外に突出する部分の径が先端に向かってラッパ状に大きくなる形状に形成されていることを特徴とする請求項７に記載のマイク付き電子機器。
【発明の詳細な説明】
【技術分野】
【０００１】
この発明はマイク付き電子機器に関する。
【背景技術】
【０００２】
例えば携帯電話機や、動画及び音声の収録機能を備えたデジタルカメラ等のマイク付き電子機器のマイク部は、機器ケースにマイク孔を設け、前記機器ケース内に、外部音を取込むための音孔を有し、内部にマイクロフォン素子を収容したマイク部品を配置して構成されている。
【０００３】
この種のマイク付き電子機器においては、前記マイク部品内のマイクロフォン素子に、機器内の部品や機器ケースが発するノイズ音を拾わせないようにすることが望まれている。
【０００４】
そのため、従来は、前記マイク部品を、筒状に形成されたゴム製の防音ホルダ内に配置し、この防音ホルダを機器ケース内に、前記防音ホルダの開口部を前記機器ケースのマイク孔に対向させ、その開口部の周縁を前記機器ケースの内面に密着させて配置している（特許文献１参照）。
【特許文献１】特開平８―２９４１９３号公報
【発明の開示】
【発明が解決しようとする課題】
【０００５】
しかし、従来のマイク付き電子機器は、マイク部品を筒状の防音ホルダ内に配置しているため、機器ケース内に配置された回路基板と前記マイク部品とを、リード線により、そのリード線を前記防音ホルダの周面部を貫通させて引き回して接続しなければならず、そのために、電子機器の組立てが面倒である。
【０００６】
この発明は、マイク部品内のマイクロフォン素子に機器内の部品や機器ケースが発するノイズ音を拾わせないようにし、しかも容易に組立てることができるマイク付き電子機器を提供することを目的としたものである。
【課題を解決するための手段】
【０００７】
この発明は、機器ケース内に、外部音を取込むための音孔を有し、内部にマイクロフォン素子を収容したマイク部品を配置した電子機器において、前記機器ケースに、前記マイク部品の音孔の孔径よりも大きい径のマイク孔を設け、前記機器ケース内に、一方の面の所定箇所に前記マイク部品をその音孔形成面とは反対面をボンディングして搭載した回路基板を、前記マイク部品の音孔を前記機器ケースのマイク孔に対向させて配置するとともに、前記マイク部品に、そのマイク部品の音孔形成面に当接するとともにマイク部品の音孔に対応する部分に前記音孔の孔径以上の径を有する貫通孔が設けられた頂面部と、該頂面部を前記マイク部品の音孔形成面に当接させたときに下端面が前記回路基板の表面に密着する高さを有し前記マイク部品の周囲を囲む周面部とを有し、前記頂面部の外面に、その周縁に沿う第１の環状凸部と前記貫通孔貫通孔を囲む第２の環状凸部とが設けられた気密性弾性材からなるキャップ状の防音部材を被せ、前記回路基板を、前記第１の環状凸部が前記機器ケースのマイク孔形成面に圧接され、且つ前記第２の環状凸部が前記機器ケースのマイク孔形成面に圧接或いはマイク孔に密に嵌込まれた状態が維持できるように、前記防音部材の頂面部を前記機器ケースのマイク孔形成面に押付けて前記機器ケース内に固定したことを特徴とする。
【０００８】
このマイク付き電子機器においては、前記防音部材の周面部は、前記マイク部品の外周面に略密に嵌合する内幅を有するのが好ましい。
【０００９】
また、前記防音部材の貫通孔の孔径は、前記機器ケースの前記マイク孔の孔径よりも小さくするのが好ましい。
【００１０】
さらに、このマイク付き電子機器においては、前記機器ケースのマイク孔形成面と前記防音部材の頂面部との間または前記防音部材の頂面部と前記マイク部品の音孔形成面との間に、前記機器ケースのマイク孔または防音部材の貫通孔を覆って、前記マイク部品のマイクロフォン素子の周波数特性により強調される音域の音成分を減衰させる音域フィルタを設けるのが望ましい。
【００１１】
前記音域フィルタを前記機器ケースのマイク孔形成面と前記防音部材の頂面部との間に設ける場合、前記音域フィルタは、前記機器ケースのマイク孔形成面に貼付けるのが好ましい。
【００１２】
また、このマイク付き電子機器においては、前記第１の環状凸部と前記第２の環状凸部とを、同じ突出高さに形成するのが望ましい。
【００１３】
さらに、このマイク付き電子機器においては、前記第２の環状凸部の突出高さを、前記第１の環状凸部の突出高さをよりも高く形成し、前記第２の環状凸部を前記機器ケースのマイク孔に嵌込むようにしてもよい。
【００１４】
その場合は、前記第２の環状凸部は、その先端側が機器ケース外に突出し、且つ前記機器ケース外に突出する部分の径が先端に向かってラッパ状に大きくなる形状に形成されているのが好ましい。
【発明の効果】
【００１５】
この発明のマイク付き電子機器は、機器ケースに、前記マイク部品の音孔の孔径よりも大きい径のマイク孔を設け、前記機器ケース内に、一方の面の所定箇所に前記マイク部品をその音孔形成面とは反対面をボンディングして搭載した回路基板を、前記マイク部品の音孔を前記機器ケースのマイク孔に対向させて配置するとともに、前記マイク部品に、そのマイク部品の音孔形成面に当接するとともにマイク部品の音孔に対応する部分に前記音孔の孔径以上の径を有する貫通孔が設けられた頂面部と、該頂面部を前記マイク部品の音孔形成面に当接させたときに下端面が前記回路基板の表面に密着する高さを有し前記マイク部品の周囲を囲む周面部とを有し、前記頂面部の外面に、その周縁に沿う第１の環状凸部と前記貫通孔貫通孔を囲む第２の環状凸部とが設けられた気密性弾性材からなるキャップ状の防音部材を被せ、前記回路基板を、前記第１の環状凸部が前記機器ケースのマイク孔形成面に圧接され、且つ前記第２の環状凸部が前記機器ケースのマイク孔形成面に圧接或いはマイク孔に密に嵌込まれた状態が維持できるように、前記防音部材の頂面部を前記機器ケースのマイク孔形成面に押付けて前記機器ケース内に固定しているため、前記マイク部品内のマイクロフォン素子に機器内の部品や機器ケースが発するノイズ音を拾わせないようにし、しかも容易に組立てることができる。
【００１６】
このマイク付き電子機器においては、前記防音部材の周面部は、前記マイク部品の外周面に略密に嵌合する内幅を有するのが好ましく、このようにすることにより、回路基板を機器ケース内に配置して固定する作業中に、マイク部品に被せた防音部材が脱落することがないようにすることができる。
【００１７】
また、前記防音部材の貫通孔の孔径は、前記機器ケースの前記マイク孔の孔径よりも小さくするのが好ましく、このようにすることにより、前記機器ケースが発するノイズ音をより効果的に前記マイク部品内のマイクロフォン素子に拾わせないようにすることができる。
【００１８】
さらに、このマイク付き電子機器においては、前記機器ケースのマイク孔形成面と前記防音部材の頂面部との間または前記防音部材の頂面部と前記マイク部品の音孔形成面との間に、前記機器ケースのマイク孔または防音部材の貫通孔を覆って、前記マイク部品のマイクロフォン素子の周波数特性により強調される音域の音成分を減衰させる音域フィルタを設けるのが望ましく、このようにすることにより、前記マイクロフォン素子から、前記マイク部品の音孔から取込んだ外部音に忠実な音声信号を出力させることができる。
【００１９】
前記音域フィルタを前記機器ケースのマイク孔形成面と前記防音部材の頂面部との間に設ける場合、前記音域フィルタは、前記機器ケースのマイク孔形成面に貼付けるのが好ましく、このようにすることにより、前記音域フィルタを、簡単にしかもずれ動かないように設けることができる。
【００２０】
また、このマイク付き電子機器においては、前記第１の環状凸部と前記第２の環状凸部とを、同じ突出高さに形成するのが望ましく、このようにすることにより、前記機器ケースが発するノイズ音をより確実に前記マイク部品内のマイクロフォン素子に拾わせないようにすることができる。
【００２１】
さらに、このマイク付き電子機器においては、前記第２の環状凸部の突出高さを、前記第１の環状凸部の突出高さをよりも高く形成し、前記第２の環状凸部を前記機器ケースのマイク孔に嵌込むようにしてもよく、このようにすることにより、前記機器ケースが発するノイズ音をさらに確実に前記マイク部品内のマイクロフォン素子に拾わせないようにすることができる。
【００２２】
その場合は、前記第２の環状凸部は、その先端側が機器ケース外に突出し、且つ前記機器ケース外に突出する部分の径が先端に向かってラッパ状に大きくなる形状に形成されているのが好ましく、このようにすることにより、前記機器ケースが発するノイズ音を略完全に前記マイク部品内のマイクロフォン素子に拾わせないようにするとともに、外部音を前記筒状部により集音して前記マイク部品にその音孔から取込ませることができる。
【発明を実施するための最良の形態】
【００２３】
（第１の実施形態）
図１〜図４はこの発明をマイク付きデジタルカメラに適用した第１の実施例を示しており、図１はマイク付きデジタルカメラの斜視図、図２は前記デジタルカメラのマイク部を切開した斜視図、図３及び図４は前記マイク部の拡大断面図及び分解斜視図である。
【００２４】
このマイク付きデジタルカメラは、静止画撮像機能と、動画及び音声の撮像録音機能とを備えた薄型カメラであり、そのケース（以下、カメラケースという）１は、左右方向の長さが８０〜９０ｍｍ、高さが５０〜６０ｍｍ、前後面間の厚さが１５〜２５ｍｍの矩形状ケースからなっている。
【００２５】
このカメラケース１の前面には、その一端側に化粧リング３を備えた撮像レンズ突出し部２が設けられ、他端側の上方位置にストロボライト４が設けられるとともに、前記撮像レンズ突出し部２の近傍に、マイク孔５が設けられている。
【００２６】
また、カメラケース１の上面には、シャッタボタン６と電源スイッチ７が設けられており、後面には、図示しないモニタ表示部とメニューキー及びズームボタン等が設けられている。
【００２７】
そして、前記カメラケース１内には、前記撮像レンズ突出し部２に対応させて、前記撮像レンズ突出し部２からカメラ前方に突出される２段伸縮型の可動鏡筒９ａ，９ｂを備えたズーミング撮像レンズ８が配置されており、この撮像レンズ８の後側に、図示しない固体撮像素子が配置されている。
【００２８】
また、前記カメラケース１内の前記撮像レンズ８の側方のスペースには、コンデンサ１１等の回路構成部品を配置してデジタルカメラのメイン回路及びマイク回路（図示せず）を形成した回路基板１０が設けられており、この回路基板１０の一方の面の所定箇所に、マイク部品１２が搭載されている。
【００２９】
前記マイク部品１２は、高さが１．３〜１．６ｍｍ、長さが６．１〜６．２ｍｍ、幅が３．７〜４ｍｍのシリコンマイクであり、図３及び図４に示したように、一方の面上にシリコン半導体マイクロフォン素子１４を設け、他方の面にマイク回路接続端子１５を形成した電極基板１３を、１つの面が開放する箱状に形成され、その開放面とは反対面に外部音を取込むための音孔１７が設けられた金属性のマイク筐体１６の開放端に、前記マイクロフォン素子１４を設けた面を前記筐体１６内に向けて取付けた構成となっている。
【００３０】
このマイク部品１２の音孔１７の孔径は１〜１．１ｍｍであり、前記カメラケース１のマイク孔５は、前記マイク部品１２の音孔１７の孔径よりも大きい１．５〜１．７ｍｍの径に形成されている。
【００３１】
そして、前記マイク部品１２は、前記回路基板１０の一方の面に、このマイク部品１２の音孔形成面とは反対面、つまり前記電極基板１３のマイク回路接続端子１５を形成した面を前記回路基板１０にボンディングして搭載されている。
【００３２】
前記マイク部品１２を搭載した回路基板１０は、前記カメラケース１内に前記マイク部品１２の音孔１７を前記カメラケース１のマイク孔５に対向させて配置されている。
【００３３】
また、このマイク付きデジタルカメラのマイク部には、前記マイク部品１２に、そのマイク部品１２の音孔形成面に当接する頂面部１８ａと前記マイク部品１２の周囲を囲む周面部１８ｂとを有し、前記頂面部１８ａの前記マイク部品１２の音孔１７に対応する部分に前記音孔１７の孔径以上の径を有する貫通孔１９が設けられた気密性弾性材からなるキャップ状の防音部材１８が設けられている。
【００３４】
なお、この実施例では、前記防音部材１８の貫通孔１９を、前記マイク部品１２の音孔１７の孔径よりも大きく、前記カメラケース１のマイク孔５の孔径よりも小さい径に形成している。
【００３５】
また、この防音部材１８の周面部１８ｂは、前記マイク部品１２の外周面に略密に嵌合する内幅と、前記頂面部１８ａを前記マイク部品１２の音孔形成面に当接させたときに、前記周面部１８ｂの端面が前記回路基板１０面に密着する高さを有している。
【００３６】
さらに、防音部材１８の頂面部１８ａの外面には、その周縁に沿う第１の環状凸部２０と、前記貫通孔１９を囲む第２の環状凸部２１とが、同じ突出高さに一体に形成されている。
【００３７】
前記キャップ状の防音部材１８は、前記回路基板１０に搭載された前記マイク部品１２に被せて設けられており、前記回路基板１０は、前記防音部材１８の頂面部１８ａの第１と第２の環状凸部２０，２１を前記カメラケース１のマイク孔形成面に押付け、前記防音部材１８の頂面部１８ａをカメラケース１のマイク孔形成面と前記マイク部品１２の音孔形成面との間に圧縮状態で挟持させるとともに、前記防音部材１８の周面部１８ｂの端面を回路基板１０面に密着させた状態で、ビス止め等の手段により前記カメラケース１内に固定されている。
【００３８】
また、前記カメラケース１のマイク孔形成面と前記防音部材１８の頂面部１８ａとの間には、前記マイク部品１２のマイクロフォン素子１４の周波数特性により強調される音域の音成分を減衰させる音域フィルタ２３が設けられている。
【００３９】
なお、前記マイク部品１２は、高域の周波数音を強調した音信号を出力する特性を有しており、そのために、この実施例では、前記音域フィルタ２３を、音域の周波数の音成分を減衰させる特性をもった高音域フィルタとしている。この音域フィルタ（以下，高音域フィルタという）２３は、微細な網目のネットからなっており、防塵機能も有している。
【００４０】
そして、この実施例では、前記防音部材１８の頂面部１８ａの面積よりも若干大きい面積を有する高音域フィルタ２３を、前記カメラケース１内に、そのマイク孔形成面に貼付けて設け、そのフィルタ面に前記防音部材１８の頂面部１８ａの第１と第２の環状凸部２０，２１を押付けている。
【００４１】
このマイク付きデジタルカメラは、カメラケース１に、前記マイク部品１２の音孔１７の孔径よりも大きい径のマイク孔５を設け、前記カメラケース１内に、一方の面の所定箇所に前記マイク部品１２をその音孔形成面とは反対面をボンディングして搭載した回路基板１０を、前記マイク部品１２の音孔１７を前記カメラケース１のマイク孔５に対向させて配置するとともに、前記マイク部品１２に、そのマイク部品１２の音孔形成面に当接する頂面部１８ａと前記マイク部品１２の周囲を囲む周面部１８ｂとを有し、前記頂面部１８ａの前記マイク部品１２の音孔１７に対応する部分に前記音孔１７の孔径よりも大きい径を有する貫通孔１９が設けられた気密性弾性材からなるキャップ状の防音部材１８を被せ、前記回路基板１０を、前記防音部材１８の頂面部１８ａをカメラケース１のマイク孔形成面に押付けて前記カメラケース１内に固定しているため、前記マイク部品１２内のマイクロフォン素子１４にカメラ内の部品やカメラケース１が発するノイズ音を拾わせないようにし、しかも容易に組立てることができる。
【００４２】
すなわち、カメラ内の部品が発するノイズ音には、例えば、前記回路基板１０に設けられたコンデンサ１１の鳴き音があり、このコンデンサ１１の鳴き音は、カメラケース１内の空間を図３に破線で示したように広がり、図３に矢線で示したように、直接またはカメラケース１の内面で反射してマイク部に到達する。
【００４３】
なお、カメラ内の部品が発するノイズ音には、撮像レンズ８に備えさせたズーミングモータ（図示せず）のうなり音やズーミングによる振動音等もあり、これらのノイズ音も同様に、直接またはカメラケース１の内面で反射してマイク部に到達する。
【００４４】
また、カメラケース１が発するノイズ音には、前記カメラ内の部品が発するノイズ音がカメラケース１に伝わることによるカメラケース１の共鳴音や、カメラケース１の外面に指Ａ等を触れたときの擦れ音等があり、そのノイズ音は前記カメラケース１を伝ってマイク部に到達する。
【００４５】
しかし、この実施例のデジタルカメラは、前記マイク部品１２に前記キャップ状の防音部材１８を被せているため、前記カメラ内の部品が発するノイズ音やカメラケース１が発するノイズ音を前記防音部材１８により遮ることができ、したがって、前記ノイズ音に前記マイク部品１２の筐体１６が共鳴し、そのノイズ音（筐体１６の共鳴音）をマイクロフォン素子１４が拾うことはない。
【００４６】
しかも、この実施例では、前記防音部材１８の周面部１８ａの端面を前記回路基板１０面に密着させているため、前記カメラ内の部品が発するノイズ音をより効果的に前記マイク部品１２内のマイクロフォン素子１４に拾わせないようにすることができる。
【００４７】
また、このマイク付きデジタルカメラは、前記防音部材１８の頂面部１８ａをカメラケース１のマイク孔形成面に押付けているため、前記カメラ内の部品が発するノイズ音が、前記マイク部品１２にその音孔１７から入り込んで前記マイクロフォン素子１４に拾われることはなく、さらに、前記カメラケース１のマイク孔５の孔径を前記マイク部品１２の音孔１７の孔径よりも大きくし、前記防音部材１８の頂面部１８ａの貫通孔１９の孔径を前記マイク部品１２の音孔１７よりも大きくしているため、前記カメラケース１が発するノイズ音が前記マイク部品１２にその音孔１７から入り込んで前記マイクロフォン素子１４に拾われることもほとんどない。
【００４８】
この実施例では、前記防音部材１８の頂面部１８ａの外面に、その周縁に沿う第１の環状凸部２０と、前記貫通孔１９を囲む第２の環状凸部２１とを形成し、前記第１と第２の環状凸部２０，２１をカメラケース１のマイク孔形成面に押付けているため、前記防音部材１８の頂面部１８ａを、その周縁部と前記貫通孔１９の周囲の２箇所において前記カメラケース１のマイク孔形成面に密着させ、前記カメラケース１が発するノイズ音をより確実に前記マイク部品１２内のマイクロフォン素子１４に拾わせないようにすることができる。
【００４９】
なお、この実施例では、図３に示したように、前記防音部材１８の貫通孔１９を、前記マイク部品１２の音孔１７の孔径よりも大きくしているが、防音部材１８の貫通孔１９の孔径は前記マイク部品１２の音孔１７の孔径と同じでもよく、前記防音部材１８の貫通孔１９の孔径が前記マイク部品１２の音孔１７の孔径以上であれば、前記マイク部品１２の音孔１７からの音取込み効率を低下させることなく、前記カメラケース１のマイク孔５の孔縁から前記マイク部品１２の音孔１７との間を前記防音部材１８によって遮り、前記カメラケース１が発するノイズ音が前記マイク部品１２にその音孔１７から入り込んでマイクロフォン素子１４に拾われるのを防ぐことができる。
【００５０】
また、この実施例では、前記防音部材１８の貫通孔１９の孔径を、カメラケース１のマイク孔５の孔径よりも小さくしているため、前記防音部材１８の貫通孔１９の周縁部を前記カメラケース１のマイク孔５内に張出させてその張出部により前記カメラケース１のマイク孔５の孔縁から前記マイク部品１２の音孔１７との間を遮り、前記カメラケース１が発するノイズ音をより効果的に前記マイク部品１２内のマイクロフォン素子１４に拾わせないようにすることができる。
【００５１】
しかも、このマイク付きデジタルカメラは、前記回路基板１０に前記マイク部品１２をその音孔形成面とは反対面をボンディングして搭載し、前記マイク部品１２に前記キャップ状の防音部材１８を被せて、前記回路基板１０を、前記防音部材１８の頂面部１８ａをカメラケース１のマイク孔形成面に押付けて前記カメラケース１内に固定しているため、簡単な作業でマイク部を構成することができ、したがってカメラの組立てを容易に行なうことができる。
【００５２】
なお、前記キャップ状の防音部材１８の周面部１８ｂは、上述したように、前記マイク部品１２の外周面に略密に嵌合する内幅を有しているため、前記回路基板１０をカメラケース１内に配置して固定する作業中に、前記マイク部品１２に被せた前記防音部材１８が脱落することはない。
【００５３】
さらに、このマイク付きデジタルカメラは、カメラケース１のマイク孔形成面と前記防音部材１８の頂面部１８ａとの間に、前記カメラケース１のマイク孔５を覆って、前記マイク部品１２のマイクロフォン素子１４の周波数特性により強調される高音域の音成分を減衰させる高音域フィルタ２３を設けているため、前記マイクロフォン素子１４の周波数特性を補償し、前記マイクロフォン素子１４から、前記マイク部品１２の音孔１７から取込んだ外部音に忠実な音声信号を出力させることができるとともに、カメラケース１のマイク孔５から入り込む外部の塵を前記高音域フィルタ２３により遮断し、前記マイク部品１２を保護することができる。
【００５４】
そして、この実施例では、前記高音域フィルタ２３を、前記カメラケース１のマイク孔形成面に貼付けているため、この高音域フィルタ２３を、簡単にしかもずれ動かないように設けることができる。
【００５５】
なお、この実施例では、高音域フィルタ２３を、カメラケース１のマイク孔形成面と防音部材１８の頂面部１８ａとの間に設けているが、前記高音域フィルタ２３を前記防音部材１８の周面部１８ｂの内側に収まる形状に形成し、その高音域フィルタ２３を、前記防音部材１８の頂面部１８ａと前記マイク部品１２の音孔形成面との間に、前記防音部材１８の貫通孔１９を覆って設けてもよい。
【００５６】
その場合は、前記高音域フィルタ２３を前記防音部材１８の頂面部１８ａと前記マイク部品１２の音孔形成面との間に挟持させればよく、このようにすることにより、前記高音域フィルタ２３を、簡単にしかもずれ動かないように設けることができる。
【００５７】
（第２の実施形態）
図５はこの発明の第２の実施例を示すマイク付きデジタルカメラのマイク部の断面図である。なお、この実施例において、上述した第１の実施例に対応するものには図に同符号を付し、同じものについてはその説明を省略する。
【００５８】
この実施例のマイク付きデジタルカメラは、キャップ状の防音部材１８の頂面部１８ａの外面に、その周縁に沿う環状凸部２０と、マイク部品１２の音孔１７に対応する貫通孔１９の周縁から突出する筒状部２２とを形成し、マイク部品１２を搭載した回路基板１０を、前記マイク部品１２に前記防音部材１８を被せ、その防音部材１８の頂面部１８ａの筒状部２２をカメラケース１のマイク孔５に密に嵌込み、前記環状凸部２０を前記カメラケース１のマイク孔形成面に押付けてカメラケース１内に固定したものであり、この実施例では、前記防音部材１８の頂面部１８ａと前記マイク部品１２の音孔形成面との間に、前記防音部材１８の貫通孔１９を覆って高音域フィルタ２３を設け、この高音域フィルタ２３を前記防音部材１８の頂面部１８ａと前記マイク部品１２の音孔形成面との間に挟持させている。
【００５９】
また、この実施例では、前記防音部材１８の貫通孔１９の孔径を前記マイク部品１２の音孔１７の孔径と同じにし、この防音部材１８の頂面部１８ａに、前記貫通孔１９の孔径と同じ内径を有する筒状部２２を形成するとともに、この筒状部２２を、その先端側がカメラケース１外に突出し、且つ前記カメラケース１外に突出する部分の径が先端に向かってラッパ状に大きくなる形状に形成している。
【００６０】
この実施例のマイク付きデジタルカメラは、前記防音部材１８の頂面部１８ａの外面に、その周縁に沿う環状凸部２０と、前記貫通孔１９の周縁から突出する筒状部２２とを形成し、前記筒状部２２をカメラケース１のマイク孔５に嵌込み、前記環状凸部２０を前記カメラケース１のマイク孔形成面に押付けているため、前記カメラケース１が発するノイズ音を、上述した第１の実施例よりもさらに確実に前記マイク部品１２内のマイクロフォン素子１４に拾わせないようにすることができる。
【００６１】
そして、この実施例ではは、前記防音部材１８の筒状部２２を、その先端側がカメラケース１外に突出し、且つ前記カメラケース１外に突出する部分の径が先端に向かってラッパ状に大きくなる形状に形成しているため、前記カメラケース１が発するノイズ音を略完全に前記マイク部品１２内のマイクロフォン素子１４に拾わせないようにするとともに、外部音を前記筒状部２２により集音して前記マイク部品１２にその音孔１７から取込ませることができる。
【００６２】
なお、この実施例では、前記防音部材１８の貫通孔１９の孔径及び前記貫通孔１９の周縁から突出する筒状部２２の内径を前記マイク部品１２の音孔１７の孔径と同じにしているが、前記防音部材１８の貫通孔１９の孔径及び前記筒状部２２の内径は、前記マイク部品１２の音孔１７の孔径よりも大きくしてもよく、また、前記筒状部２２の内径は、前記貫通孔１９の孔径よりも大きくしてもよい。
【００６３】
（他の実施形態）
なお、上記第１及び第２の実施例では、カメラケース１のマイク孔形成面と前記防音部材１８の頂面部１８ａとの間または前記防音部材１８の頂面部１８ａとマイク部品１２の音孔形成面との間に、前記カメラケース１のマイク孔５または前記防音部材１８の貫通孔１９を覆って、前記マイク部品１２のマイクロフォン素子１４の周波数特性により強調される音域の音成分を減衰させる音域フィルタ（上記実施例では高音域フィルタ）２３を設けているが、この音域フィルタ２３を省略し、前記回路基板１０に形成されたマイク回路に、前記マイクロフォン素子１４により強調された音域の周波数信号を減衰させる信号処理を行なわせることにより、前記マイク部品１２の音孔１７から取込んだ外部音に忠実な音声信号を出力するようにしてもよい。
【００６４】
また、この発明は、マイク付きデジタルカメラに限らず、例えば携帯電話機等のマイク付き電子機器にも適用することができる。
【図面の簡単な説明】
【００６５】
【図１】この発明の第１の実施例を示すマイク付きデジタルカメラの斜視図。
【図２】前記デジタルカメラのマイク部を切開した斜視図。
【図３】前記マイク部の拡大断面図。
【図４】前記マイク部の分解斜視図。
【図５】この発明の第２の実施例を示すマイク付きデジタルカメラのマイク部の断面図。
【符号の説明】
【００６６】
１…カメラケース（機器ケース）、５…マイク孔、１０…回路基板、１１…コンデンサ（カメラ内の部品）、１２…マイク部品、１３…電極基板、１４…マイクロフォン素子、１５…マイク回路接続端子、１６…マイク筐体、１７…音孔、１８…防音部材、１８ａ…頂面部、１８ｂ…周面部、１９…貫通孔、２０，２１…環状凸部、２２…筒状部、２３…高音域フィルタ。
【図１】
0004715327.tif 000002
【図２】
0004715327.tif 000003
【図３】
0004715327.tif 000004
【図４】
0004715327.tif 000005
【図５】
0004715327.tif 000006